(57)【特許請求の範囲】
【請求項１】
コンクリートからなる基礎と、その基礎から上方に所定の距離を離して水平に設けられた土台との間に挿入可能な桶状の受入容器であって、
前記基礎の幅に対応する基礎底面、および前記基礎の幅よりも後方に長い張出面を有する矩形状の底面部と、
前記底面部の両側辺から矩形内方向へ傾斜して立ち上がり、前記土台の下面に当接する２枚の側面部と、
２枚の前記側面部の一端側で前記底面部の前端から立ち上がる前端面部と、
２枚の前記側面部の他端側で前記底面部の後端から立ち上がる後端面部と、を備え、
前記基礎と前記土台との間に挿入した後、前記底面部の前記張出面の上方から流動状態のモルタルを流し込むことが可能なことを特徴とする受入容器。
【請求項２】
２枚の側面部は、矩形内方向へ折り畳まれていることを特徴とする請求項１に記載の受入容器。
【請求項３】
前記前端面部は、上端が前記側面部の高さよりも高い位置に延び、前記土台の前面に当接可能なストッパ部を有することを特徴とする請求項１または２に記載の受入容器。
【請求項４】
前記後端面部は、矩形内方向に湾曲するアーチ状であることを特徴とする請求項１〜３のいずれか一項に記載の受入容器。
【請求項５】
前記底面部は、前記基礎底面に穴を有することを特徴とする請求項１〜４のいずれか一項に記載の受入容器。
【請求項６】
コンクリートからなる基礎と、
前記基礎から上方に所定距離離れ、水平に設けられた土台と、
前記基礎から突出し、前記土台に設けられたボルト孔に通されるアンカーボルトと、
前記アンカーボルトに螺着され、前記土台の下面側で土台を保持可能な土台受部材と、
前記アンカーボルトに螺着され、前記土台の上面側を締め付けるナットと、
前記基礎と前記土台との間に設けられた請求項１〜５のいずれか一項に記載の受入容器と、
前記受入容器の内側に流し込まれ、硬化したモルタルと、を備えることを特徴とする建築物の基礎。
【請求項７】
上面にアンカーボルトが突出する基礎を敷設する基礎敷設工程と、
土台を保持可能な土台受部材を前記アンカーボルトに螺着する受部材螺着工程と、
前記土台を前記アンカーボルトに通し、前記土台受部材の高さを調整し、前記土台を水平に設置する水平調節工程と、
前記土台の上面側に突出する前記アンカーボルトにナットを締め付ける締付工程と、
前記基礎と前記土台との間に請求項１〜５のいずれか一項に記載の受入容器を挿入する容器挿入工程と、
前記受入容器の底面部の張出面の上方から前記受入容器の内側に流動状態のモルタルを流し込むモルタル流込工程と、
前記モルタルを硬化させる硬化工程と、を含むことを特徴とする建築物の基礎の施工方法。
【発明の詳細な説明】
【技術分野】
【０００１】
本発明は、モルタルを受け入れ可能な受入容器、並びにそれを用いた建築物の基礎、及びその施工方法に関する。
【背景技術】
【０００２】
一般に、木造建築等の基礎では、地業を行った地盤上に布基礎を敷設する。そして、その基礎の上面に木製の土台を水平に設ける。
特許文献１に記載の建築物の基礎は、コンクリート基礎の上面から突出するアンカーボルトに、土台を保持可能な土台受部材を螺着する。その土台受部材の上に土台を載置し、土台受部材を上下方向に位置調整して土台を水平にする。その後、土台のボルト孔を通り土台の上面に突出するアンカーボルトにナットを締め付け、土台を固定する。
【先行技術文献】
【特許文献】
【０００３】
【特許文献１】特開２００９−２１５７７０号公報
【発明の概要】
【発明が解決しようとする課題】
【０００４】
特許文献１に記載の建築物の基礎では、土台の上に設けられる柱の直下に土台受部材を設けることは困難である。そのため、柱の直下には、基礎と土台との間にスペーサを挿入することが考えられる。しかし、そのスペーサと土台との間に隙間が生じた場合、土台の水平が保持されないおそれがある。そのため、厚みの異なる数種類のスペーサを用意するか、又はスペーサの厚みを調節して取り付けるようにすると、作業コストが増大することが懸念される。
本発明は、上記問題に鑑みてなされたものであり、土台の水平を保持することを可能とする受入容器、およびこの受入容器を用いた建築物の基礎の施工方法を提供することを目的とする。
【課題を解決するための手段】
【０００５】
請求項１に係る発明によると、コンクリートからなる基礎と、その基礎から上方に所定の距離を離して水平に設けられた土台との間に挿入可能な受入容器は、底面部、２枚の側面部、前端面部および後端面部を備え、桶状に形成される。
底面部は、矩形状であり、基礎の幅に対応する基礎底面、および基礎の幅よりも後方に長い張出面を有する。
２枚の側面部は、底面部の両側辺から矩形内方向へ傾斜して立ち上がり、土台の下面に当接する。
前端面部は、２枚の側面部の一端側で底面部の前端から立ち上がる。
後端面部は、２枚の側面部の他端側で底面部の後端から立ち上がる。
受入容器は、基礎と土台との間に挿入した後、底面部の張出面の上方から流動状態のモルタルを流し込むことが可能である。その場合、流動状態のモルタルの圧力により、側面部が矩形外方向に起き上がり、土台の下面に当接する。これにより、受入容器の内側に土台の下面までモルタルが確実に充填される。モルタルが硬化すると、モルタルと受入容器とによって基礎２と土台５とが密着することで緊結状態となる。したがって、受入容器を用いて、基礎から上方に所定の距離を離して設けられた土台の水平を保持することができる。
【０００６】
請求項２に係る発明によると、２枚の側面部は、矩形内方向へ折り畳まれている。
これにより、流動状態のモルタルを受入容器に流し込む場合、流動状態のモルタルの圧力により、側面部が矩形外方向に起き上がり、土台の下面に当接する。これにより、受入容器の内側に土台の下面までモルタルが確実に充填される。
【０００７】
請求項３に係る発明によると、前端面部は、上端が側面部の高さよりも高い位置に延び、土台の前面に当接可能なストッパ部を有する。
これにより、基礎と土台との間に受入容器を挿入するとき、ストッパ部が土台の前面に当接した位置で受入容器は停止する。このため、土台の後面から前面の直下までモルタルを充填することができる。また、土台の前面から外側へモルタルが突出しないので、土台の前面に建築物の壁を取り付けることが可能である。
【０００８】
請求項４に係る発明によると、後端面部は、矩形内方向に湾曲するアーチ状である。
これにより、後端面部の剛性が高くなる。このため、流動状態のモルタルを受入容器の内側に流し込む時、後端面部が矩形外方向に撓むことを防ぐことができる。
請求項５に係る発明によると、底面部は、基礎底面に穴を有する。
これにより、受入容器の内側に流し込まれたモルタルと基礎とが直接接続する。したがって、受入容器とモルタルにより、基礎と土台とを確実に緊結することができる。
【０００９】
請求項６は、建築物の基礎の発明である。建築物の基礎は、基礎、土台、アンカーボルト、土台受部材、ナット、受入容器およびモルタルを備える。
基礎は、コンクリートからなる。
土台は、基礎から上方に所定距離離れ、水平に設けられる。
基礎から突出するアンカーボルトは、土台に設けられたボルト孔に通される。
土台受部材は、アンカーボルトに螺着され、土台の下面側で土台を保持可能である。
ナットは、アンカーボルトに螺着され、土台の上面側を締め付ける。
請求項１〜５のいずれか一項に記載の受入容器は、基礎と土台との間に設けられる。
モルタルは、受入容器の内側に流し込まれ、硬化している。
これにより、受入容器とその受入容器の内側で硬化したモルタルにより、土台の水平を保持することができる。
【００１０】
請求項７は、建築物の基礎の施工方法の発明である。建築物の基礎の施工方法は、基礎敷設工程、受部材螺着工程、水平調節工程、締付工程、容器挿入工程、モルタル流込工程および硬化工程を含む。
基礎敷設工程では、上面にアンカーボルトが突出する基礎を敷設する。
受部材螺着工程では、土台を保持可能な土台受部材をアンカーボルトに螺着する。
水平調節工程では、土台のボルト孔にアンカーボルトを通した後、土台受部材の高さを調整し、土台受部材の上に土台を水平に設置する。
締付工程では、土台の上面側に突出するアンカーボルトにナットを締め付ける。
容器挿入工程では、基礎と土台との間に請求項１〜５のいずれか一項に記載の受入容器を挿入する。
モルタル流込工程では、受入容器の底面部の張出面の上方から受入容器の内側に流動状態のモルタルを流し込む。
硬化工程では、モルタルを硬化させる。
これにより、受入容器とその受入容器の内側のモルタルにより、土台の水平を保持することができる。
【図面の簡単な説明】
【００１１】
【図１】本発明の第１実施形態による建築物の基礎の断面図である。
【図２】本発明の第１実施形態による建築物の基礎の断面図である。
【図３】図１のＩＩＩ部分の拡大図である。
【図４】図１のＩＶ部分の拡大図である。
【図５】図４のＶ−Ｖ線の断面図である。
【図６】図５のＶＩ方向の矢視図であり、支柱およびモルタルを除いた図である。
【図７】本発明の第１実施形態による受入容器の斜視図である。
【図８】本発明の第１実施形態による建築物の基礎の施工方法の工程図である。
【図９】本発明の第１実施形態による建築物の基礎の施工方法の説明図である。
【図１０】本発明の第２実施形態による受入容器の斜視図である。
【図１１】本発明の第２実施形態による受入容器が基礎と土台の間に挿入された状態を上から見た図であり、支柱およびモルタルを除いた図である。
【図１２】本発明の第３実施形態による受入容器の斜視図である。
【図１３】本発明の第３実施形態による建築物の基礎の要部断面図である。
【発明を実施するための形態】
【００１２】
以下、本発明の複数の実施形態を図面に基づいて説明する。
（第１実施形態）
本発明の第１実施形態による建築物の基礎を図１〜図９に示す。本実施形態の建築物の基礎１は、例えば木造建築などに適用される。
図１〜図３に示すように、基礎２は、地盤上に水平方向に連続して敷設されたコンクリートからなる布基礎である。基礎２には、アンカーボルト３が埋め込まれている。アンカーボルト３は、ねじ部分が基礎２から上に突出している。なお、この基礎２は、上面の不陸が許容されている。
アンカーボルト３に土台受部材４が螺着されている。土台受部材４は、上から見て、円盤状または多角形に形成され、中央にめねじが設けられている。土台受部材４は、土台５及びその土台５の上に施工される建築物の荷重を保持することが可能な強度及び大きさである。
【００１３】
土台５は、木製であり、土台受部材４の上に載置される。このとき、土台５の有するボルト孔６をアンカーボルト３が通る。土台受部材４を回転すると、土台受部材４は上下方向へ移動する。この土台受部材４の高さ調節により、土台５は水平に設けられる。すなわち、土台５は基礎２から上方に所定距離離れた位置で水平に設けられる
土台５の上面から突出したアンカーボルト３に、座金７を挟んでナット８が螺着される。これにより、土台５が固定される。
土台５の上に柱９が取り付けられる。土台５と柱９は、ほぞ又は図示しないプレートなどにより固定されている。
【００１４】
図１に示すように、受入容器１０及びその受入容器１０の内側に注入されたモルタル２０は、柱９の直下で基礎２と土台５との間に設けられる。なお、図２に示すように、受入容器１０及びモルタル２０は、柱９の直下に限らず、基礎２と土台５との間に複数個所設けることが可能である。
図４〜図７に示すように、受入容器１０は、例えば紙から桶状に形成され、底面部１１、側面部１２、前端面部１３および後端面部１４を備える。
底面部１１は、矩形状であり、基礎２の幅に対応する基礎底面１１１、および、基礎２の幅よりも後方向の長さが長い張出面１１２を有する。図７では、基礎底面１１１と張出面１１２との境界を概念的に一点鎖線で示しているが、基礎底面１１１と張出面１１２とは一体である。
２枚の側面部１２は、底面部１１の両側辺から立ち上がり、矩形内方向に折りたたまれるように傾斜している。２枚の側面部１２は、土台５の下面５２に当接する。
前端面部１３は、２枚の側面部１２の一端側で底面部１１の前端から立ち上がる。前端面部１３は、上端が側面部１２の高さよりも高い位置に延びるストッパ部１３１を有する。図６では、前端面部１３の有するストッパ部１３１の境界を概念的に一点鎖線で示しているが、前端面部１３とストッパ部１３１とは一体である。ストッパ部１３１は、土台５の前面５１に当接可能である。
後端面部１４は、２枚の側面部１２の他端側で底面部１１の後端から立ち上がり、矩形内方向に折りたたまれるように傾斜している。
【００１５】
受入容器１０は、基礎２と土台５との間に挿入される。そして、受入容器１０は、基礎２と土台５との間に挿入された後、底面部１１の張出面１１２の上方から流動状のモルタル２０を流し込むことが可能である。
モルタル２０は、受入容器１０の内側に流し込まれ、硬化している。モルタル２０は、受入容器１０の内側で、土台５の下面５２まで充填されている。受入容器１０とモルタル２０により、土台５が支持される。これにより、基礎２から上方に所定距離離して設けられた土台５の水平を保持することができる。
【００１６】
次に、建築物の基礎１の施工方法を図８及び図９を参照して説明する。
基礎敷設工程１００では、地業を行った地盤上に基礎２を敷設する。このとき、アンカーボルト３の根元部分を基礎２に埋め込む。
受部材螺着工程１０１では、アンカーボルト３に土台受部材４を螺着する。
水平調節工程１０２では、土台５のボルト孔６にアンカーボルト３を通し、土台受部材４の上に土台５を載置する。そして土台受部材４を回転して高さ調整を行い、土台５を水平にする。
締付工程１０３では、土台５の上面側に突出したアンカーボルト３に座金７を挟んでナット８を締め付ける。これにより、土台受部材４とナット８によって土台５が固定される。
【００１７】
続いて、図８及び図９（Ａ）に示すように、容器挿入工程１０４で、基礎２と土台５との間に受入容器１０を挿入する。なお、容器挿入工程１０４では、上述したように、受入容器１０は、柱９の直下の位置に限らず、基礎２と土台５との間に複数個所挿入される。
容器挿入工程１０４において、受入容器１０の後端面部１４と側面部１２は、矩形内方向に折りたたまれるように傾斜した状態で基礎２と土台５との間に挿入される。つまり、受入容器１０は、後端面部１４および側面部１２と土台５の下面５２とが摺接した状態で、基礎２と土台５との間に挿入される。
そして、図９（Ｂ）に示すように、ストッパ部１３１が土台５の前面５１に当接したとき、その位置で受入容器１０は停止する。必要に応じて、ストッパ部１３１と土台５の前面５１とを粘着テープなどを使用して固定してもよい。
【００１８】
次に、モルタル流込工程１０５で、受入容器１０の底面部１１の張出面１１２の上方から受入容器１０の内側に、流動状態のモルタル２０を流し込む。このモルタル２０は、収縮率の小さい無収縮モルタルを使用するのが好ましい。
図９（Ｃ）の矢印Ｆに示すように、受入容器１０の内側流し込まれた流動状態のモルタル２０は、側面部１２を矩形外方向に押し出すので、側面部１２は土台５の下面５２に密着する。このため、受入容器１０の内側と土台５の下面５２との間にモルタル２０が充填される。
その後、硬化工程１０６で、モルタル２０を２４時間以上硬化させる。このとき、モルタル２０に含まれる水分が、紙からなる受入容器１０の底面部１１に浸透する。そのため、基礎２の上面と受入容器１０の底面部１１とが密着する。これにより、建築物の基礎１が完成する。
硬化工程１０６の最中に土台に床を施工し、モルタル２０の乾燥後に柱９を取り付ける。なお、柱９の取り付けは、締付工程１０３の後であれば、モルタル２０の施工前であっても、モルタル２０の乾燥後であってもよい。
【００１９】
本実施形態では、以下の作用効果を奏する。
（１）本実施形態では、基礎２の上に所定の距離を離して土台５を水平に設置した後、基礎２と土台５との間に受入容器１０を挿入し、底面部１１の張出面１１２の上方から流動状態のモルタル２０を流し込む。受入容器１０の内側に土台５の下面５２まで充填したモルタル２０が硬化すると、モルタル２０と受入容器１０とが土台５を支持する。これにより、基礎２と土台５との間にスペーサ等を入れることなく、モルタル２０および受入容器１０によって基礎２と土台５とが緊結されるので、土台５の水平を確実に保持することができる。
（２）本実施形態では、受入容器１０の前端面部１３は、土台５の前面５１に当接可能なストッパ部１３１を有する。これにより、基礎２と土台５との間に受入容器１０を挿入するとき、ストッパ部１３１が土台５の前面５１に当接した状態で受入容器１０は停止する。このため、土台５の後面５３から前面５１の直下までモルタル２０を充填することができる。また、土台５の前面５１から外側へモルタル２０が突出しないので、土台５の前面５１に建築物の壁などを取り付けることが可能である。
（３）本実施形態では、受入容器１０の側面部１２は、矩形内方向に折りたたまれるように傾斜している。これにより、基礎２と土台５との間に受入容器１０を容易に挿入することが可能である。さらに、受入容器１０に流動状態のモルタル２０を流し込むと、そのモルタル２０が側面部１２を矩形外方向に押し出す。このため、側面部１２が矩形外方向に起き上がり、土台５の下面５２に当接する。したがって、受入容器１０の内側に土台５の下面５２までモルタル２０を確実に充填することができる。
【００２０】
（第２実施形態）
本発明の第２実施形態による建築物の基礎を図１０および図１１に示す。以下、複数の実施形態において、上述した第１実施形態と実質的に同一の構成には同一の符号を付して説明を省略する。
第２実施形態では、受入容器１０の後端面部１８は、矩形内方向に湾曲するアーチ状に形成される。受入容器の底面部１１の後端１１３は、矩形内方向に円弧状である。これにより、後端面部１８の剛性が高くなる。このため、流動状態のモルタル２０を受入容器１０の内側に流し込む時、後端面部１８が矩形外方向に撓むことを防ぐことができる。したがって、流動状態のモルタル２０が受入容器１０から漏れ出すことを防ぐことができる。
【００２１】
（第３実施形態）
本発明の第３実施形態による受入容器を図１２および図１３に示す。
第３実施形態では、受入容器１０は、底面１１の基礎２の幅に対応する位置に穴１５を有する。すなわち、穴１５は、基礎底面１１１に設けられる。穴１５は、底面１１または基礎底面１１１の対角線上に、略×形状に開けられる。この穴１５の形状、位置、大きさは、流動状態のモルタル２０を受入容器１０の内側に流し込んだとき、そのモルタル２０が基礎２の上面と受入容器１０の基礎底面１１１から外側へ漏れ出さないように設定され、土台５と基礎２が一体化となる。なお、穴１５の形状、位置、大きさ、個数などは任意に設定可能である。例えば穴１５の形状は、図１２に示す×形状の他にも、○、△、□形状などであってもよい。
【００２２】
第３実施形態では、受入容器１０の内側に流し込まれたモルタル２０と基礎２とが直接接続する。このため、受入容器１０とモルタル２０により、基礎２と土台５とを緊結し、土台５の水平を保持することができる。
【００２３】
（他の実施形態）
上述した実施形態では、受入容器を紙から形成した。これに対し、他の実施形態では、流動状態のモルタルの圧力で側面部が変形可能な材質であれば、例えば樹脂などで受入容器を形成してもよい。
上述した実施形態では、モルタルに無収縮モルタルを使用した。これに対し、他の実施形態では、モルタルは一般的なモルタルであってもよい。この場合、仮に硬化工程で、水分の蒸発によりモルタルの体積が小さくなった場合は、再度モルタルを受入容器に流し込めばよい。
本発明は、上記実施形態に限定されるものではなく、上記複数の実施形態を組み合わせることに加え、発明の趣旨を逸脱しない範囲において、種々の形態で実施することができる。
【符号の説明】
【００２４】
１    ・・・建築物の基礎
２    ・・・基礎
５    ・・・土台
１０  ・・・受入容器
１１  ・・・底面部
１１１・・・基礎底面
１１２・・・張出面
１２  ・・・側面部
１３  ・・・前端面部
１４、１８・・・後端面部
２０  ・・・モルタル
【図１】
0005433038.tif 000002
【図２】
0005433038.tif 000003
【図３】
0005433038.tif 000004
【図４】
0005433038.tif 000005
【図５】
0005433038.tif 000006
【図６】
0005433038.tif 000007
【図７】
0005433038.tif 000008
【図８】
0005433038.tif 000009
【図９】
0005433038.tif 000010
【図１０】
0005433038.tif 000011
【図１１】
0005433038.tif 000012
【図１２】
0005433038.tif 000013
【図１３】
0005433038.tif 000014